(57)【特許請求の範囲】
【請求項１】
フレーム同期以降に受信したフレームについてその実データを格納する実データ格納手段、
仮プロトコル情報をスーパーフレーム同期後のスーパーフレームのプロトコルデータに基づき生成する仮プロトコル情報生成手段、
実情報再生条件を前記仮プロトコル情報から抽出する実情報再生条件抽出手段、及び
前記実情報再生条件に自機が適合しているか否かを判定し、判定が正であれば実データから実情報を再生する実情報再生手段、
を備えることを特徴とするデジタル無線機。
【請求項２】
前記仮プロトコル情報生成手段は、スーパーフレーム同期後の最初のスーパーフレームについての正規プロトコル情報を、正規プロトコル情報取得前に受信したフレームの実データに適用する前記仮プロトコル情報に設定することを特徴とする請求項１記載のデジタル無線機。
【請求項３】
フレーム同期後でスーパーフレーム同期前の期間におけるスーパーフレームのフレームについて、フレーム同期前のフレームを未取得フレームと呼び、フレーム同期後のフレームを取得フレームと呼ぶことにし、
前記仮プロトコル情報生成手段は、取得フレームと、スーパーフレーム同期後の最初のスーパーフレームにおいてフレーム番号が未取得フレームのフレーム番号に一致するフレームとをフレーム番号順に並べて、仮スーパーフレームを構築し、該仮スーパーフレームのプロトコル情報を前記仮プロトコル情報に設定することを特徴とする請求項１記載のデジタル無線機。
【請求項４】
前記仮プロトコル情報生成手段は、スーパーフレーム同期後の最初のスーパーフレームのプロトコルデータを取得した時は、該スーパーフレームのプロトコル情報に前記仮プロトコル情報を更新し、
前記実情報再生条件抽出手段は前記更新後のプロトコル情報に基づき実情報再生条件を更新し、
前記実情報再生手段は、更新後の実情報再生条件について自機が適合しているか否かを再判定し、再判定が否であれば実情報の再生を中止することを特徴とする請求項３記載のデジタル無線機。
【請求項５】
フレーム同期以降に受信したフレームについてその実データを格納する実データ格納ステップ、
仮プロトコル情報をスーパーフレーム同期後のスーパーフレームのプロトコルデータに基づき生成する仮プロトコル情報生成ステップ、
実情報再生条件を前記仮プロトコル情報から抽出する実情報再生条件抽出ステップ、及び
前記実情報再生条件に自機が適合しているか否かを判定し、判定が正であれば実データから実情報を再生する実情報再生ステップ、
を備えることを特徴とするデジタル無線機制御方法。
【請求項６】
請求項１〜４のいずれかに記載のデジタル無線機の各手段としてコンピュータを機能させるプログラム。
【発明の詳細な説明】
【技術分野】
【０００１】
本発明は、複数のフレームから構成されるスーパーフレームの受信に対応するデジタル無線機、制御方法及びプログラムに関するものである。
【背景技術】
【０００２】
デジタル通信方式（例：RCR STD -27H）では、フレームとは別にスーパーフレームについて規定している。スーパーフレームは、複数のフレームを順番に配列したものであり、下記の利点がある。
【０００３】
（ａ）フレーム単位で１つのデータを構成する機能チャネルとスーパーフレーム単位で構成する機能チャネルとの２種類を使用することができ、プロトコルデータの構成に幅が持てる。例えば、速やかに機能する必要があるデータは１フレームに割当て、時間をかけてもよいデータはスーパーフレームに割当てる。
【０００４】
（ｂ）スーパーフレームでは、それを構成する各フレームについて番号に応じた機能チャネルを定義することができ、複数の意味を持つ機能チャネルを使用することができる。例えば自機に対する通信呼出しのフレーム番号をあらかじめ何らかの手順で定めておくことにより、他のフレームの受信を停止した間欠受信ができるようになり、省電力化を図ることができる。
【０００５】
特許文献１は、複数のフレームから構成されるスーパーフレームを送受する無線通信システムを開示する（特許文献１の段落０００１及び図１）。該無線通信システムでは、空きチャネルに該当するフレームに、それが属するスーパーフレームにおける順番としてのフレーム番号を挿入して、送受するように取決めている（特許文献１の図４のＳ４０４及び図５のＳ５０２→Ｓ５０４）。結果、受信機は、スーパーフレームの同期ワードを検出することかできない場合、次のスーパーフレームの同期ワードの受信を待つ代わりに、空きチャネルの番号を利用して、スーパーフレームとの同期を確立することにより、スーパーフレーム同期の確立を早めることができるようになっている（特許文献１の段落００５０）。
【０００６】
図１１は従来のデジタル無線機における音声再生処理の説明図である。該音声再生処理における処理対象のフレーム及びスーパーフレームの構造については、本発明の実施例についての図２及び図３で詳しく説明するので、ここでは省略して、従来の音声再生処理の主要点について説明する。また，図１１の時刻ｔ１〜ｔ８も、本発明の実施例についての後述の図４で定義するとおりであり、ここでは詳細な説明を省略する。
【０００７】
スーパーフレームでは、それを構成する各フレームは、先頭から順番にプロトコルデータの１つの区分と音声データの２つの区分とが配置されている。各スーパーフレームに含まれる音声データのプロトコル手順（たとえばＩＤ情報等）は、該スーパーフレームの全フレームからプロトコルデータを収集し、収集したプロトコルデータからレイヤ３の構造を組み立てて取得する必要がある。
【０００８】
受信環境（例：弱電界やフェージング）や、受信機の性能及びユーザ操作（例：チャネル切替タイミング又は電源投入タイミング）等の理由により、受信開始がスーパーフレームの途中となることがある。図１１では、受信開始が、第１スーパーフレームの最初とならず、第１スーパーフレームの受信途中の時刻ｔ２となっている。スーパーフレームのプロトコル情報を取得するためには、スーパーフレーム同期が確立した後の最初のスーパーフレームの最後のフレームのプロトコルデータを受信するまで待つ必要があり、図１１では、第２スーパーフレームの最後のフレームのプロトコルデータの受信が終了する時刻ｔ７となる。したがって、従来のデジタル無線機では、受信開始時刻ｔ２から時刻ｔ７までの期間の音声データは、再生することなく、破棄している。
【特許文献１】特開２００７−９６５６７号公報
【発明の開示】
【発明が解決しようとする課題】
【０００９】
従来のデジタル無線機では、時刻ｔ２から時刻ｔ７までの受信期間の音声データは破棄され、結果、再生音の頭切れに繋がっている。
【００１０】
特許文献１の通信システムは、空きチャネルがある場合には、それにフレーム番号を挿入して、スーパーフレームの同期を早めることができるが、音声通信のように、空きチャネルが生じなかったり、又は空きチャネルが極めて少なかったりする状況下では、適用が難しい。また、フレームの登録番号が判明しても、該フレームが属しているスーパーフレームのプロトコル手順は依然として不明であり、再生音の頭切れ防止に繋げることは困難である。
【００１１】
本発明の目的は、スーパーフレームの正規プロトコル情報が取得できないことに因る実情報再生の頭切れを抑制することができるデジタル無線機、制御方法及びプログラムを提供することである。
【課題を解決するための手段】
【００１２】
本発明によれば、フレーム同期が確立しだい、フレームの実データを順次格納しておき、スーパーフレームの仮プロトコル情報を生成してから、今回の実データから実情報（例：音声）を再生すべきか否かを仮プロトコル情報に基づき判定する。そして、判定が正であれば、格納しておいた実データから実情報を再生することにする。
【００１３】
スーパーフレームのプロトコル情報取得前の実データの再生に適用する仮プロトコル情報は、例えば（ａ）スーパーフレーム同期後のスーパーフレームのプロトコル情報、又は（ｂ）所定のフレーム番号のフレームが欠落しているスーパーフレームに対して、その欠落フレームのフレーム番号と同一のフレーム番号のフレームを別のスーパーフレームから補って、フレーム番号順に並べて全部のフレーム番号のフレームを揃えた仮スーパーフレームを構築し、該仮スーパーフレームのプロトコル情報である。
【００１４】
別の本発明によれば、スーパーフレームのプロトコル情報を取得前であっても、フレーム同期後に受信したフレームについて、該フレームから実データを抽出し、実データから実情報を再生する。そして、その後、生成した仮プロトコル情報に基づき実情報の再生を継続するか中止するかを決める。
【００１５】
本発明のデジタル無線機は次のものを備えている。
フレーム同期以降に受信したフレームについてその実データを格納する実データ格納手段、
仮プロトコル情報をスーパーフレーム同期後のスーパーフレームのプロトコルデータに基づき生成する仮プロトコル情報生成手段、
実情報再生条件を前記仮プロトコル情報から抽出する実情報再生条件抽出手段、及び
前記実情報再生条件に自機が適合しているか否かを判定し、判定が正であれば実データから実情報を再生する実情報再生手段。
【００１７】
本発明のデジタル無線機制御方法は次のステップを備えている。
フレーム同期以降に受信したフレームについてその実データを格納する実データ格納ステップ、
仮プロトコル情報をスーパーフレーム同期後のスーパーフレームのプロトコルデータに基づき生成する仮プロトコル情報生成ステップ、
実情報再生条件を前記仮プロトコル情報から抽出する実情報再生条件抽出ステップ、及び
前記実情報再生条件に自機が適合しているか否かを判定し、判定が正であれば実データから実情報を再生する実情報再生ステップ。
【００１９】
本発明のプログラムは、前述のデジタル無線機の各手段としてコンピュータを機能させる。
【発明の効果】
【００２０】
本発明によれば、スーパーフレームの正規のプロトコル情報の取得前にフレーム同期により受信したフレームの実データに対して、所定のプロトコル情報を適用して、再生の可否を判断し、実情報の再生における頭切れを防止することができる。
【発明を実施するための最良の形態】
【００２１】
図１はデジタル無線通信システム１０の概略図である。該デジタル無線通信システム１０は、１つの基地局１１と、複数の移動局１２とから構成され、例えばＦＤＭＡ（周波数分割多重接続：Frequency Division Multiplex Access）方式で基地局１１−移動局１２間で通信が行われる。移動局１２は、例えば車載端末や携帯端末である。
【００２２】
基地局１１−移動局１２間の通信は、制御用キャリア及び通信用キャリアを用いて行われる。制御用キャリアは全部の移動局１２に対して共通に使用され、通信用キャリアは通信中の移動局１２ごとに割り当てられる。制御用キャリアには、報知チャネル（BCCH: Broadcast Control Channel）、一斉呼出しチャネル（PCH: Paging Channel）及び信号制御チャネル（SCCH: Signaling Control Channel）が含まれる。
【００２３】
報知チャネルは、基地局１１から全移動局１２へチャネル構造やシステム構成の情報を送る片方向チャネルである。一斉呼出しチャネルは、基地局１１が全移動局１２へ向けて同一情報を一斉に送る片方向チャネルである。信号制御チャネルは、基地局１１と個別の移動局１２との間で情報を送受する双方向チャネルである。
【００２４】
図２はフレームの構造例を示す。該フレームでは、先頭に同期ワードが配置され、３つの区分が順番に該同期ワードに後続する。３つの区分とは、１番目がプロトコルデータの区分、２番目及び３番目の区分が音声データの区分となっている。同期ワードはフレームのデータ同期を取るために使用される。
【００２５】
図３はスーパーフレームの構造例を示す。該スーパーフレームは、図２のフレームを３つ、順番に並べたものから構成されている。説明の便宜上、スーパーフレームを構成する複数のフレームについて、基地局１１からの送信順に、すなわちスーパーフレームにおける配置順に第１、第２及び第３を付けて呼ぶとともに、第１〜第３フレームの同期ワード及びフレームデータについても、フレームと同一の番号を付けて呼ぶことにする。
【００２６】
スーパーフレーム同期は、例えばＰＤＣ（RCR  STD-27）では、（ａ）先頭のスーパーフレームの同期ワードを他のフレームとは反転した形にしたり、（ｂ）同期バーストと呼ばれる物理チャンネルでフレーム番号の同期を取ったり、（ｃ）レイヤ２以降の処理で、情報要素を解析したりすることにより、行われる。
【００２７】
図４は移動局１２における第１の音声再生処理の説明図である。説明の便宜上、スーパーフレームについて基地局１１からの送信順に、第１、第２、第３、・・・を付けて呼ぶことにする。
【００２８】
図４において、時刻ｔ１は、基地局１１が第１スーパーフレームを送信開始した時刻である。時刻ｔ２は、移動局１２が基地局１１からの無線信号を受信開始した時刻であり、第１スーパーフレームの第１フレームの途中の時刻となっている。移動局１２は、受信電波の弱電界等の理由により、時刻ｔ１より遅れて、時刻ｔ２から受信開始すると、想定している。
【００２９】
時刻ｔ３は移動局１２が第１スーパーフレームの第２フレームを受信開始する時刻である。ｔ２−ｔ３の期間では、フレーム同期が確立されていないので、フレームデータを組み立てることができず、フレームデータは破棄することになる。
【００３０】
時刻ｔ４は第１スーパーフレームの第２フレームの同期ワードを検出した時刻である。ｔ４以降、スーパーフレーム同期は未確立であるものの、フレーム同期は確立されているので、フレームデータの組み立てが可能になる。ｔ４以降は、各フレームからフレームデータを組み立てて、該フレームデータの内、音声データをバッファにストアする。フレームのプロトコルデータは、スーパーフレームの全フレームのプロトコルデータが集まらないと、プロトコル情報を抽出できないので、ストアせず、破棄する。
【００３１】
該バッファにおけるデータの読み書きは、ＦＩＦＯ（First-In First-Out）形式で行う。また、該バッファのサイズは、２スーパーフレームの音声データの量と同程度以上が望ましい。
【００３２】
時刻ｔ５は移動局１２が第２スーパーフレームを受信開始した時刻である。時刻ｔ６は、移動局１２が第２スーパーフレームの同期ワードを検出し、スーパーフレーム同期を確立した時刻である。前述したように、スーパーフレームの同期ワードは、他のフレームとは反転したり、同期バーストにしたりすることにより、フレームの同期ワードとは区別して検出されるようになっている。時刻ｔ６以降は、スーパーフレーム同期が確立されたことにより、スーパーフレームのデータを組み立てることが可能になる。時刻ｔ５以降に受信したフレームについては、そのプロトコルデータはスーパーフレームのデータを組み立てるために使用可能となるので、該プロトコルデータは有効とされる。
【００３３】
時刻ｔ７は、第２スーパーフレームの最後のフレームのプロトコルデータの収集が終了した時刻である。これにより、第２スーパーフレームについての正規のプロトコル情報を生成するための全部のプロトコルデータが揃うので、時刻ｔ７において、それらプロトコルデータから正規のプロトコル情報を生成する。正規のプロトコル情報から音声再生条件を抽出することができる。音声再生条件の具体例は、フレームに含まれる音声データの送信先に自機のＩＤが含まれていることである。自機が音声再生条件に適合しているならば、時刻ｔ３以降にバッファに蓄積していた音声データをＦＩＦＯ形式で出力し、音声データに係る音声を時刻ｔ７から移動局１２のスピーカより出力する。
【００３４】
これにより、図４の音声再生処理では、従来の図１１の音声再生処理に比べて、おおよそスーパーフレームの２つに相当する時間分の再生音の頭切れが防止される。なお、図４の音声再処理では、時刻ｔ３以降の音声データに係る音声を時刻ｔ７から再生開始することになるので、移動局１２において、相手無線機から受信した音声がおおよそスーパーフレームの２つに相当する受信時間分、遅れて再生されることになるが、通常の使用では不都合は生じない。
【００３５】
図５は移動局１２における第２の音声再生処理の説明図である。時刻ｔ１〜ｔ８の定義は、図４のものと同一である。図５の音声再生処理において、図４の音声再生処理と同一の部分は、説明を省略し、相違点について説明する。
【００３６】
前述の図４の音声再生処理では、時刻ｔ３から時刻ｔ５までのプロトコルデータは、正規のプロトコル情報の生成に繋がらないので、破棄していたのに対し、図５の音声再生処理では、ｔ３以降の受信フレームのプロトコルデータは、バッファにストアして、仮プロトコル情報に生成に使用する。
【００３７】
時刻ｔ１０は、第２スーパーフレームの第１フレームの受信が終了した時刻であり、時刻ｔ６と時刻ｔ７との中間の時刻になる。時刻ｔ３から時刻ｔ５までの期間に、第１スーパーフレームの第２及び第３フレームのプロトコルデータ及び音声データがバッファにストアされ、時刻ｔ５から時刻ｔ１０までの期間に、第２スーパーフレームの第１フレームのデータがバッファにストアされる。
【００３８】
スーパーフレームの各フレームについて、送信順にフレーム番号１〜３を付けると、ｔ３−ｔ５の期間には第１スーパーフレームについてフレーム番号２，３のフレームを取得し、ｔ５−ｔ１０の期間に第２スーパーフレームについてフレーム番号１のフレームを取得し、全体のｔ３−ｔ１０の期間では、時間的に前後に隣接するスーパーフレームをまたがるものの、スーパーフレームについての全部のフレーム番号のフレームが揃うことになる。これらフレームについて、フレーム番号順に並べ替えて、仮スーパーフレームを構築し、該仮スーパーフレームのプロトコルデータを組み立てる。そして、仮スーパーフレームのプロトコルデータから抽出した音声再生条件、例えば送信先ＩＤが自機のＩＤと一致していることに適合するならば、バッファからＦＩＦＯ形式で音声データを読出し、該音声データから音声を再生する。
【００３９】
時刻ｔ９は、第２スーパーフレームの第１フレームのプロトコルデータを受信して、仮スーパーフレームのプロトコルデータを組み立て終了した時刻とする。時刻ｔ９は、第２スーパーフレームの第１フレームの受信を終了した時刻ｔ１０より早くなる。
【００４０】
仮スーパーフレームでは、フレーム番号順に、第２スーパーフレームの第１フレーム、第１スーパーフレームの第２フレーム、第３フレームと並ぶが、音声データの音声再生順は、仮スーパーフレームにおける並び順ではなく、現実の受信順に、すなわちＦＩＦＯのバッファからの出力順に、第１スーパーフレームの第２フレームの音声データ、第１スーパーフレームの第３フレームの音声データ、第２スーパーフレームの第１フレームの音声データの音声となる。
【００４１】
同一のプロトコルデータが、各スーパーフレームで繰り返し利用することがある。この目的は、後から受信可能となったデジタル無線機が、自機のＩＤを取得できた時点で通信に参入する（後追い参入と呼ばれる）機能を実現するためであり、狭帯域デジタル通信方式規格（ARIB STD-T61）等に見られる。仮プロトコル情報を仮スーパーフレームのプロトコルデータから生成する図５の音声再生処理は、このような同一プロトコルデータをスーパーフレームで繰り返し利用する場合に十分に適用することができる。
【００４２】
なお、仮プロトコル情報に基づく音声再生判断は、同一のプロトコルデータが、各スーパーフレームで繰り返し利用されており、自機宛てのＩＤが含められている見込みに基づくものであるので、該見込みが外れていることがあり得る。したがって、時刻ｔ７で、第２スーパーフレームのプロトコルデータ、すなわち正規のプロトコル情報を取得しだい、該正規のプロトコル情報から抽出した音声再生条件に係るＩＤが自機のＩＤと一致するか否かを検証し、見込みが外れていれば、直ちに音声再生を中止する。
【００４３】
図５の音声再生処理では、前述の図４の音声再生処理に比べて、音声の頭切れを時刻ｔ７から時刻ｔ９へ移行したおおよそ２フレーム分、早めることができる。また、図５の音声再生処理では、音声の出力遅れが、そのフレームを受信した時刻よりおおよそ１スーパーフレームの受信時間分に済ませることができる。
【００４４】
秘密性の高い通信（例：軍事利用通信）以外のビジネスユース等では、音声の頭切れをなくし、かつ少しでも遅延を減らすことのほうが重要であり、また、発生したとしても、フレーム長及びスーパーフレーム長によっては、わずかな時間であるため、図５の音声再生処理はほぼ問題とならない。
【００４５】
図６は移動局１２における第３の音声再生処理の説明図である。時刻ｔ１〜ｔ８の定義は図４の時刻ｔ１〜ｔ８と同一である。時刻ｔ１０の定義は図５のｔ１０と同一である。図６の音声再生処理では、バッファへのプロトコルデータ及び音声データのストア開始は、図５の音声再生処理と同様に、時刻ｔ３からとなる。
【００４６】
時刻ｔ１３は、第１スーパーフレームの第２フレームのデータを組み立てた時刻であり、時刻ｔ４より少しだけ遅れた時刻となる。図６の音声再生処理では、ｔ１３以降、フレーム同期によりデータを組み立てることができたフレームについて、フレームの受信順にそれらの音声データから音声を再生する。こうして、図６の音声再生処理では、図５の音声再生処理に比して、音声の再生開始を時刻ｔ９から時刻ｔ１３へ移行させたおおよそ１スーパーフレーム分、早めることができる。また、音声データの受信とほぼ同時にその音声を出力することができ、音声出力の遅延を抑制することができる。
【００４７】
しかしながら、第１スーパーフレームの第２及び第３フレームの音声データの再生はスーパーフレームの正規のプロトコル情報の判断に基づくものではないので、自機が音声再生条件に適合していないことが予想される。そこで、時刻ｔ１０で、第２スーパーフレームの第１フレームを受信しだい、図５の音声再生処理場合と同様に、仮スーパーフレームを作成し、該仮スーパーフレームのプロトコルデータから音声再生条件を抽出し、見込みが外れていないかを検証する。該音声再生条件に自機が適合していると判断したならば、音声データからの音声の再生を継続し、適合していないと判断したならば、再生を中止する。
【００４８】
時刻ｔ１０において、音声の再生継続と判断した場合には、さらに、時刻ｔ７においてスーパーフレームについての正規のプロトコルデータから抽出した音声再生条件に基づき再検証を行う。再検証の結果、音声再生条件に自機が適合していると判断したならば、音声データからの音声の再生を継続し、適合していないと判断したならば、再生を中止する。
【００４９】
図７はデジタル無線機３０のブロック図である。デジタル無線機３０の具体例は、図４及び図５の音声再生処理機能を装備する移動局１２である。デジタル無線機３０は、実データ格納手段３１、仮プロトコル情報生成手段３２、実情報再生条件抽出手段３３及び実情報再生手段３４を備えている。
【００５０】
実データ格納手段３１は、フレーム同期以降に受信したフレームについてその実データを格納する。仮プロトコル情報生成手段３２は、仮プロトコル情報をスーパーフレーム同期後のスーパーフレームのプロトコルデータに基づき生成する。実情報再生条件抽出手段３３は、実情報再生条件を仮プロトコル情報から抽出する。実情報再生手段３４は、実情報再生条件に自機が適合しているか否かを判定し、判定が正であれば実データから実情報を再生する。
【００５１】
実データとは、フレームに含まれる再生対象に係るデータと定義し、プロトコルデータは除外される。前述の移動局１２の例では、実データは音声データとなっている。実データは、音声データ以外のメールや画像等のコンテンツデータであってもよい。仮プロトコル情報は、スーパーフレーム同期後のスーパーフレームのプロトコルデータだけに基づき生成してもよいし（例：図４の音声再生処理）、それ以外のプロトコルデータを加味して、生成してもよい（例：図５の音声再生処理）。
【００５２】
実情報再生条件とは、例えば送信側のデジタル無線機から送られてくる送信先情報に係る条件である。例えば、自機のＩＤやグループが送信先ＩＤやグループに一致する場合には、実情報再生条件に自機が適合していて、判定が正であるとする。
【００５３】
デジタル無線機３０では、スーパーフレームの正規プロトコル情報取得前に受信したフレームの実データを有効利用して、再生音の頭切れを抑制することができる。
【００５４】
好ましくは、仮プロトコル情報生成手段３２は、スーパーフレーム同期後の最初のスーパーフレームについての正規プロトコル情報を、正規プロトコル情報取得前に受信したフレームの実データに適用する仮プロトコル情報とする。この具体例は、図４の音声再生処理で説明したものである。図４の音声再生処理では、スーパーフレーム同期後の最初のスーパーフレームが第２スーパーフレームであり、第２スーパーフレームについてのプロトコル情報を取得した後（例：図４の時刻ｔ７）、該プロトコル情報に係る送信先ＩＤが自機のＩＤとなっていれば、プロトコル情報取得前のバッファ格納の音声データから音声を再生して、スピーカより出力している。正規のプロトコル情報から実情報再生条件を抽出することにより、見込みの実情報再生条件に係る判定に因る誤再生を抑制することができる。
【００５５】
フレーム同期後でスーパーフレーム同期前の期間におけるスーパーフレームのフレームについて、フレーム同期前のフレームを未取得フレームと呼び、フレーム同期後のフレームを取得フレームと呼ぶことにする。好ましくは、仮プロトコル情報生成手段３２は、取得フレームと、スーパーフレーム同期後の最初のスーパーフレームにおいてフレーム番号が未取得フレームのフレーム番号に一致するフレームとをフレーム番号順に並べて、仮スーパーフレームを構築し、該仮スーパーフレームのプロトコル情報を仮プロトコル情報に設定する。
【００５６】
仮スーパーフレームを構築するデジタル無線機３０の具体例は、前述の図５の音声再生処理を実施する移動局１２である。図５の音声再生処理では、第１スーパーフレームについて、未取得フレームをフレーム番号１の第１フレーム、取得フレームをフレーム番号２，３の第２及び第３フレームとしている。そして、第２スーパーフレームのフレーム番号１の第１フレームと、第１スーパーフレームのフレーム番号２，３の第２及び第３フレームとをフレーム番号順に並べて、仮スーパーフレームを構築している。
【００５７】
仮スーパーフレームを構築するデジタル無線機３０では、実情報再生条件抽出手段３３は、スーパーフレーム同期後の最初のスーパーフレームのプロトコルデータを取得した時は、該スーパーフレームのプロトコル情報に仮プロトコル情報を更新する。また、実情報再生条件抽出手段３３は更新後のプロトコル情報に基づき実情報再生条件を更新する。これに対して、実情報再生手段３４は、更新後の実情報再生条件について自機が適合しているか否かを再判定し、再判定が否であれば実情報の再生を中止する。
【００５８】
仮スーパーフレームのプロトコル情報は、あくまで、正規プロトコル情報から抽出した実情報再生条件の判定が正になるという見込みに立って、行っているので、見込みが外れることがあり得る。最初の正規プロトコル情報は、スーパーフレーム同期後の最初のスーパーフレームのプロトコルデータを入手した時に取得できるので、該プロトコルデータを入手しだい、該プロトコルデータを基にした正規プロトコル情報を生成し、さらに、該正規プロトコル情報から抽出した実情報再生条件についての判定を行って、見込みが正しいかを検証する。そして、検証の結果、見込みが外れていたならば、直ちに実情報の再生を中止する。見込みが外れていたと検証されても、実情報を誤って再生した期間は短いので、悪影響は少なく、それよりも、見込みが正しかった場合における受信開始時の再生音等の頭切れ防止の利点の方がはるかに大きい。
【００５９】
図８はデジタル無線機４０のブロック図である。デジタル無線機４０の具体例は、図６の音声再生処理を実施する機能を装備する移動局１２である。デジタル無線機４０は、フレームデータ組み立て手段４１及び実情報再生手段４２を備えている。デジタル無線機４０は、さらに、仮プロトコル情報生成手段４５及び実情報再生条件抽出手段４６を備えることができる。
【００６０】
フレームデータ組み立て手段４１は、スーパーフレーム同期前のフレーム同期後から受信フレームについてそのデータを組み立てる。実情報再生手段４２は、データを組み立てたフレームの実データから実情報を再生する。
【００６１】
デジタル無線機４０では、プロトコル情報を考慮せずに直ちにフレームの実データから実情報を再生する。これにより、スーパーフレーム同期前の実情報の欠落による受信初期時の実情報再生の頭切れを防止するとともに、実情報を受信してから再生するまでの遅れを抑制することができる。
【００６２】
好ましくは、仮プロトコル情報生成手段４５は、取得フレームと、スーパーフレーム同期後の最初のスーパーフレームにおいてフレーム番号が未取得フレームのフレーム番号に一致するフレームとをフレーム番号順に並べて、仮スーパーフレームを構築し、該仮スーパーフレームのプロトコルデータから仮プロトコル情報を生成する。実情報再生条件抽出手段４６は、実情報再生条件を仮プロトコル情報から抽出する。これに対して、実情報再生手段４２は、実情報再生条件に自機が適合しているか否かを判定し、判定が否であれば実データからの実情報の再生を中止する。
【００６３】
デジタル無線機４０では、プロトコル情報を考慮せずに直ちにフレームの実データから実情報を再生するが、これは、正規のプロトコル情報から抽出した実情報再生条件に自機が適合しているという見込みで、正規プロトコル情報の取得に先立ち、実情報を再生するものである。したがって、仮スーパーフレームのプロトコル情報を取得しだい、該仮スーパーフレームのプロトコル情報から抽出した実情報再生条件に自機が適合しているか否かの判定を行って、見込みの当て外れを確認し、これにより、見込みが外れた場合の実情報再生期間を最小限に押さえ込むことができる。
【００６４】
好ましくは、仮プロトコル情報生成手段４５は、スーパーフレーム同期後の最初のスーパーフレームのプロトコルデータを取得した時は、該スーパーフレームのプロトコル情報に仮プロトコル情報を更新する。また、実情報再生条件抽出手段４６は更新後のプロトコル情報に基づき実情報再生条件を更新する。これに対し、実情報再生手段４２は、更新後の実情報再生条件について自機が適合しているか否かを再判定し、再判定が否であれば実情報の再生を中止する。
【００６５】
こうして、スーパーフレーム同期後の最初のスーパーフレームのプロトコル情報、すなわち正規プロトコル情報を取得しだい、正規プロトコル情報に係る実情報再生条件についての再判定が行われ、再判定が否であれば、実データからの実情報の再生が中止されるので、見込み違いによる実情報の再生期間を十分に短く抑えることができる。
【００６６】
図９はデジタル無線機制御方法５０のフローチャートである。デジタル無線機制御方法５０はデジタル無線機３０（図７）に適用される。
【００６７】
Ｓ５１では、フレーム同期以降に受信したフレームについてその実データを格納する。Ｓ５２では、仮プロトコル情報をスーパーフレーム同期後のスーパーフレームのプロトコルデータに基づき生成する。Ｓ５３では、実情報再生条件を仮プロトコル情報から抽出する。Ｓ５４では、実情報再生条件に自機が適合しているか否かを判定し、判定が正であれば実データから実情報を再生する。
【００６８】
Ｓ５１〜Ｓ５４の処理は、デジタル無線機３０（図５）の実データ格納手段３１〜実情報再生手段３４の機能にそれぞれ対応している。したがって、実データ格納手段３１〜実情報再生手段３４の機能について述べた具体的態様はＳ５１〜Ｓ５４の処理についての具体的態様としても適用可能である。
【００６９】
図１０はデジタル無線機制御方法６０のフローチャートである。デジタル無線機制御方法６０はデジタル無線機４０（図８）に適用される。
【００７０】
Ｓ６１では、スーパーフレーム同期前のフレーム同期後から受信フレームについてそのデータを組み立てる。Ｓ６２では、データを組み立てたフレームの実データから実情報を再生する。
【００７１】
Ｓ６１，Ｓ６２の処理は、デジタル無線機４０（図８）のフレームデータ組み立て手段４１及び実情報再生手段４２の機能にそれぞれ対応している。したがって、フレームデータ組み立て手段４１及び実情報再生手段４２の機能について述べた具体的態様はＳ６１，Ｓ６２の処理についての具体的態様としても適用可能である。
【００７２】
デジタル無線機制御方法６０では、また、デジタル無線機４０の仮プロトコル情報生成手段４５及び実情報再生条件抽出手段４６の機能に対応する処理を実行するステップを適宜、追加可能である。仮プロトコル情報生成手段４５及び実情報再生条件抽出手段４６に対応するステップは、Ｓ６２の前に挿入される。デジタル無線機４０において、仮プロトコル情報生成手段４５及び実情報再生条件抽出手段４６の機能について述べた具体的態様はＳ６１，Ｓ６２の処理についての具体的態様としても適用可能である。
【００７３】
本発明を適用したプログラムは、コンピュータをデジタル無線機３０又はデジタル無線機４０の各手段として機能させる。本発明を適用した別のプログラムは、デジタル無線機制御方法５０又はデジタル無線機制御方法６０の各ステップをコンピュータに実行させる。
【００７４】
本明細書は様々な範囲及びレベルの発明を開示している。それら発明は、本明細書で説明した様々な技術的範囲及び具体的レベルの各装置及び各方法だけでなく、当業者の自明の範囲内で、各装置及び各方法から独立の作用、効果を奏する１つ又は複数の要素を抽出したものや、１つ又は複数の要素を自明の範囲で変更したものや、さらに、各装置間及び各方法間で１つ又は複数の要素の組合せを入れ換えたものを含む。
【図面の簡単な説明】
【００７５】
【図１】デジタル無線通信システムの概略図である。
【図２】フレームの構造例を示す図である。
【図３】スーパーフレームの構造例を示す図である。
【図４】移動局における第１の音声再生処理の説明図である。
【図５】移動局における第２の音声再生処理の説明図である。
【００７６】
【図６】移動局における第３の音声再生処理の説明図である。
【図７】デジタル無線機のブロック図である。
【図８】別のデジタル無線機のブロック図である。
【図９】デジタル無線機制御方法のフローチャートである。
【図１０】別のデジタル無線機制御方法のフローチャートである。
【図１１】従来のデジタル無線機における音声再生処理の説明図である。
【符号の説明】
【００７７】
３０：デジタル無線機、３１：実データ格納手段、３２：仮プロトコル情報生成手段、３３：実情報再生条件抽出手段、３４：実情報再生手段、４０：デジタル無線機、４１：フレームデータ組み立て手段、４２：実情報再生手段、４５：仮プロトコル情報生成手段、４６：実情報再生条件抽出手段、５０：デジタル無線機制御方法、６０：デジタル無線機制御方法。
【図１】
0005223409.tif 000002
【図２】
0005223409.tif 000003
【図３】
0005223409.tif 000004
【図４】
0005223409.tif 000005
【図５】
0005223409.tif 000006
【図６】
0005223409.tif 000007
【図７】
0005223409.tif 000008
【図８】
0005223409.tif 000009
【図９】
0005223409.tif 000010
【図１０】
0005223409.tif 000011
【図１１】
0005223409.tif 000012